(57)【要約】【課題】光ムラのない高品質な照明器具を提供する。【解決手段】照明器具１０は、器具本体１１と、器具本体１１上に取り付けられた電子式安定器１２と、電子式安定器１２を覆い、充電部保護カバーを兼ねるブロックカバー１３と、ブロックカバー１３の下方に配置された蛍光灯ランプ１４と、蛍光灯ランプ１４を含む器具本体１１の下面全体を覆う透光性のグローブ１５と、を備え、ブロックカバー１３および器具本体１１の外表面を同系色の色に施し、ブロックカバー１３の外表面の反射率を器具本体１１の外表面の反射率よりも低く設定した。【選択図】図１
2010251209.tif 000002
【特許請求の範囲】
【請求項１】
器具本体と、
前記器具本体上に取り付けられた電子式安定器と、
前記電子式安定器を覆い、充電部保護カバーを兼ねるブロックカバーと、
前記ブロックカバーの下方に配置された蛍光灯ランプと、
前記蛍光灯ランプを含む前記器具本体の下面全体を覆う透光性のグローブと、
を備えた照明器具であって、
前記ブロックカバーおよび前記器具本体の外表面を同系色の色に施し、前記ブロックカバーの外表面の反射率を前記器具本体の外表面の反射率よりも低く設定したことを特徴とする照明器具。
【請求項２】
前記ブロックカバーは、その綾線部分、角部分および前記器具本体との境界線に傾斜面または湾曲面を設けたことを特徴とする請求項１に記載した照明器具。
【発明の詳細な説明】
【技術分野】
【０００１】
本発明は、例えば住宅等の天井面に直接取り付けられる直付型の照明器具に関する。
【背景技術】
【０００２】
本発明者らは、点灯回路部と赤外線リモコン信号を受信する受光素子とを同一の回路基板上に実装した安定器を有する照明器具を既に提案している（例えば、特許文献１参照）。
【０００３】
本発明者らは、器具本体上に取り付けられている２つの安定器を覆うカバーを備えた照明器具を既に提案している（例えば、特許文献２参照）。
【先行技術文献】
【特許文献】
【０００４】
【特許文献１】特開２００９−５４４８８号公報（図１、請求項１）
【特許文献２】特開２００６−３０２５３３号公報（図１、請求項１）
【発明の概要】
【発明が解決しようとする課題】
【０００５】
上記特許文献１および上記特許文献２に開示された従来の照明器具において、安定器を覆うカバーが直方体であれば、構造が簡素化され、安価で且つ組立性の良好な照明器具を提供できる。
【０００６】
しかし、通常、安定器等を含むブロックケースは器具本体の上面に取り付けられるために、光源である蛍光灯ランプからの距離は、ブロックケースまでと器具本体までとで差ができる。
従って、反射に伴う器具本体の明るさとブロックケースの明るさに差を生じ、照明器具全体として光ムラが発生する。
【０００７】
このような問題点を解決するために、安定器に加えて他の機器も覆うようなカバーを備えた照明器具も提案されたが、その場合、カバーの外形が大きくなりすぎて現実性に乏しかった。
【０００８】
本発明は、前述した課題を解決するためになされたものであり、その目的は、光ムラのない高品質な照明器具を提供することにある。
【課題を解決するための手段】
【０００９】
本発明に係る照明器具は、器具本体と、前記器具本体上に取り付けられた電子式安定器と、前記電子式安定器を覆い、充電部保護カバーを兼ねるブロックカバーと、前記ブロックカバーの下方に配置された蛍光灯ランプと、前記蛍光灯ランプを含む前記器具本体の下面全体を覆う透光性のグローブと、を備えた照明器具であって、前記ブロックカバーおよび前記器具本体の外表面を同系色の色に施し、前記ブロックカバーの外表面の反射率を前記器具本体の外表面の反射率よりも低く設定したことを特徴とする。
【００１０】
本発明においては、蛍光灯ランプからの距離が近いブロックカバーを例えば８０％の反射率を有する白塗装鋼板により形成し、蛍光灯ランプからの距離が遠い器具本体をブロックカバーと同系色でブロックカバーよりも高い例えば９５％の反射率を有する高反射塗装を施して、ブロックカバーと器具本体との外表面に１０〜２０％の反射率の差を設定した。
これにより、蛍光灯ランプからの距離が遠い器具本体が蛍光灯ランプからの距離が近いブロックカバーよりも光を多く反射する。
従って、器具本体とブロックカバーとに光ムラを生ずることがなくなって光全体として光ムラがなくなる。
【００１１】
本発明に係る照明器具は、上記構成の照明器具において、前記ブロックカバーは、その綾線部分、角部分および前記器具本体との境界線に傾斜面または湾曲面を設けたことを特徴とする。
【００１２】
本発明においては、ブロックカバーが、その綾線部分、角部分および器具本体との境界線を傾斜面または湾曲面にした。
従って、傾斜面や湾曲面により、蛍光灯ランプからの光が、綾線部分、角部分および器具本体との境界線の部分で乱反射することにより、光ムラをさらに低減することができる。
【発明の効果】
【００１３】
本発明の照明器具によれば、電子式安定器を覆い、充電部保護カバーを兼ねるブロックカバーおよび器具本体の外表面を同系色の色に施し、ブロックカバーの外表面の反射率を器具本体の外表面の反射率よりも低く設定した。
これにより、光ムラのない高品質な照明器具を提供することができるという効果を有する。
【図面の簡単な説明】
【００１４】
【図１】本発明に係る第１実施形態の照明器具の垂直断面図
【図２】図１に示した照明器具の底面図
【図３】本発明に係る第２実施形態の照明器具の垂直断面図
【図４】図３に示した照明器具の底面図
【発明を実施するための形態】
【００１５】
以下、本発明の複数の実施形態に係る照明器具について図面を参照して説明する。
【００１６】
（第１実施形態）
図１に示すように、本発明の第１実施形態である照明器具１０は、器具本体１１と、電子式安定器１２と、ブロックカバー１３と、２重管環状の蛍光灯ランプ１４と、グローブ１５と、を主として備える。
【００１７】
器具本体１１は、金属製で円板形状に形成されている。器具本体１１の中央部には開口部１６を有する。器具本体１１は、例えば９５％の反射率を有して白色の高反射塗装面１７を全体に有する。
【００１８】
器具本体１１は、開口部１６にアダプタ取付部品１８を介して電源給電アダプタ１９が装着されている。電源給電アダプタ１９は天井面１に設けられている不図示の省施工用部品に引掛接続することにより器具本体１１に電源を引き込む。
【００１９】
電子式安定器１２は、インバータ回路を含む電子部品により構成されており、器具本体１１の下面における開口部１６の側部に固定されている。電子式安定器１２の側部には不図示の充電部が配置されている。
【００２０】
ブロックカバー１３は、鋼板製であって底板２０と周板２１とを有して直方体形状の外形に形成されている。ブロックカバー１３は電子式安定器１２を覆うとともに充電部の保護カバーを兼ねる。ブロックカバー１３は、底板２０と周板２１とに、器具本体１１と同系色の例えば８０％の反射率を有する白塗装面２２を全体に有する。
【００２１】
２重管環状の蛍光灯ランプ１４は、それらの一部に口金２３を有し、器具本体１１に取り付けられている不図示のランプ保持部品により器具本体１１に保持されている。
【００２２】
グローブ１５は、例えば乳白色の樹脂材料を用いて床面側を凸とした略半球形状に形成されている。
【００２３】
図２に示すように、器具本体１１の外縁部には複数のグローブ止め具２４が取り付けられており、これらグローブ止め具２４に蛍光灯ランプ１４を覆ってグローブ１５が回動装着される。
【００２４】
ブロックカバー１３の一部には凹部２５が形成されている。凹部２５には器具本体１１に取り付けられていて照明状態を制御する赤外線リモコン信号を受信する受光素子２６と、常夜灯２７と、受信信号のチャンネル切換えやリセット等を司る操作スイッチ２８とが露出している。
【００２５】
このような照明器具１０は、蛍光灯ランプ１４が点灯することにより発した光は、床面を照射するとともに器具本体１１の下面およびブロックカバー１３を照射する。
【００２６】
このとき、蛍光灯ランプ１４からの距離が近いブロックカバー１３の外表面が８０％の反射率を有し、これに対して、蛍光灯ランプ１４からの距離が遠い器具本体１１の外表面がブロックカバー１３と同系色でブロックカバー１３よりも高い９５％の反射率を有する。そのため、ブロックカバー１３と器具本体１１との外表面において１０〜２０％の反射率の差が生じている。
これにより、蛍光灯ランプ１４からの距離が遠い器具本体１１が蛍光灯ランプ１４からの距離が近いブロックカバー１３よりも光を多く反射する。
【００２７】
本発明の第１実施形態の照明器具１０では、蛍光灯ランプ１４からの距離が近いブロックカバー１３が８０％の反射率を有する白塗装面２２を有し、蛍光灯ランプ１４からの距離が遠い器具本体１１がブロックカバー１３と同系色でブロックカバー１３よりも高い９５％の反射率を有する高反射塗装面１７を有して、ブロックカバー１３と器具本体１１との外表面に１０〜２０％の反射率の差を設定した。
これにより、蛍光灯ランプ１４からの距離が遠い器具本体１１が蛍光灯ランプ１４からの距離が近いブロックカバー１３よりも光を多く反射する。
従って、器具本体１１とブロックカバー１３とに光ムラを生ずることがなくなって光全体として光ムラがなくなる。
【００２８】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００２９】
図３、図４に示すように、本発明の第２実施形態の照明器具３０は、鋼板製であって底板３２と傾斜した傾斜周板３３とを有して垂直断面視等脚台形状の外形に形成されたブロックカバー３１を適用した。
【００３０】
なお、ブロックカバー３１は傾斜周板３３に代えて、その綾線部分、角部分および器具本体１１との境界線を湾曲面にしても良い。
【００３１】
このような照明器具３０は、蛍光灯ランプ１４が点灯することにより発した光は、床面を照射するとともに器具本体１１の下面およびブロックカバー３１を照射する。
【００３２】
このとき、蛍光灯ランプ１４からの距離が近いブロックカバー３１が８０％の反射率を有して器具本体１１との境界線に傾斜した傾斜周板３３を有し、これに対して、蛍光灯ランプ１４からの距離が遠い器具本体１１がブロックカバー３１と同系色でブロックカバー３１よりも高い９５％の反射率を有する。そのため、ブロックカバー３１と器具本体１１との外表面において１０〜２０％の反射率の差が生じている。
これにより、ブロックカバー３１の傾斜周板３３により蛍光灯ランプ１４からの光が乱反射し、蛍光灯ランプ１４からの距離が遠い器具本体１１が蛍光灯ランプ１４からの距離が近いブロックカバー３１よりも光を多く反射する。
【００３３】
本発明の第２実施形態の照明器具３０では、ブロックカバー３１の器具本体１１との境界線に傾斜周板３３を形成した。
従って、傾斜周板３３により、蛍光灯ランプ１４からの光が器具本体１１との境界線で乱反射することにより、光ムラをさらに低減することができる。
【００３４】
なお、前記各実施形態で使用した器具本体１１、電子式安定器１２、蛍光灯ランプ１４、グローブ１５等は例示したものに限定するものではなく適宜変更が可能である。
【符号の説明】
【００３５】
１０、３０  照明器具
１１  器具本体
１２  電子式安定器
１３、３１  ブロックカバー
１４  蛍光灯ランプ
１５  グローブ
３３  傾斜周板（傾斜面）
【図１】
2010251209.tif 000003
【図２】
2010251209.tif 000004
【図３】
2010251209.tif 000005
【図４】
2010251209.tif 000006